(57)【特許請求の範囲】
【請求項１】
電子ズーム機能による電子ズーム動作に際し、撮像素子から異なる画素数の画素情報からなる撮像信号を読み出すための複数の読み出しモードを電子ズーム倍率に応じて切り替えるとともに、各々の読み出しモードが設定されている間、電子ズーム倍率に応じて前記撮像信号に対するズーム処理を変更する撮像装置において、
前記撮像素子から読み出された撮像信号に基づく画像に対して画質を調整するための画質調整処理を行う画質調整手段を備え、
この画質調整手段は、電子ズーム倍率が前記読み出しモードが切り替わる切り替えポイントに近づくに従い、前記画質調整処理の処理強度を次第に増大させる
ことを特徴とする撮像装置。
【請求項２】
前記画質調整手段は、電子ズーム倍率が、同一の読み出しモードが適用されるズーム区間の一部であって、前記切り替えポイントを含む所定のズーム区間に位置する間に、前記撮像素子から読み出された撮像信号に基づく画像に対して前記画質調整処理を行うことを特徴とする請求項１記載の撮像装置。
【請求項３】
前記画質調整手段は、前記切り替えポイントを境として隣接する双方のズーム区間のうち電子ズーム倍率が小さい側に位置するズーム区間において、前記画質調整処理の処理強度を、前記読み出しモードが切り替わる電子ズーム倍率における切り替えポイントに近づくに従い次第に増大させることを特徴とする請求項１又は２記載の撮像装置。
【請求項４】
前記画質調整手段は、前記切り替えポイントを境として隣接する双方のズーム区間のうち電子ズーム倍率が大きい側に位置するズーム区間において、前記画質調整処理の処理強度を、前記読み出しモードが切り替わる電子ズーム倍率における切り替えポイントに近づくに従い次第に増大させることを特徴とする請求項１又は２記載の撮像装置。
【請求項５】
前記画質調整手段は、電子ズーム倍率が、前記切り替えポイントを境として隣接する双方のズーム倍率区間に位置する間に、前記画質調整処理を前記撮像信号に基づく画像に対してそれぞれ行うとともに、
電子ズーム倍率が前記双方のズーム倍率区間の一方に位置する間に前記画質調整手段により行われる前記画質調整処理と、電子ズーム倍率が前記双方のズーム倍率区間の他方に位置する間に前記画質調整手段により行われる前記画質調整処理とは、画質の調整内容が相反する処理である
ことを特徴とする請求項１又は２記載の撮像装置。
【請求項６】
前記画質調整手段により行われる前記撮像信号に基づく画像に対する前記画質調整処理は、輪郭部分の強度の調整効果を含む処理であることを特徴とする請求項１乃至５いずれか記載の撮像装置。
【請求項７】
前記複数の読み出しモードには、画素加算読み出しモード又は画素間引き読み出しモードの少なくともいずれか一方が含まれることを特徴とする請求項１乃至６いずれか記載の撮像装置。
【請求項８】
電子ズーム機能による電子ズーム動作に際し、撮像素子から異なる画素数の画素情報からなる撮像信号を読み出すための複数の読み出しモードを電子ズーム倍率に応じて切り替えるとともに、各々の読み出しモードが設定されている間、電子ズーム倍率に応じて前記撮像信号に対するズーム処理を変更する撮像装置における電子ズーム方法であって、
前記撮像素子から読み出された撮像信号に基づく画像に対して画質を調整するための画質調整処理を行うとともに、電子ズーム倍率が前記読み出しモードが切り替わる切り替えポイントに近づくに従い、前記画質調整処理の処理強度を次第に増大させる
ことを特徴とする電子ズーム方法。
【請求項９】
電子ズーム機能による電子ズーム動作に際し、撮像素子から異なる画素数の画素情報からなる撮像信号を読み出すための複数の読み出しモードを電子ズーム倍率に応じて切り替えるとともに、各々の読み出しモードが設定されている間、電子ズーム倍率に応じて前記撮像信号に対するズーム処理を変更する撮像装置が有するコンピュータに、
前記撮像素子から読み出された撮像信号に基づく画像に対して画質を調整するための画質調整処理を行うための処理と、
電子ズーム倍率が前記読み出しモードが切り替わる切り替えポイントに近づくに従い、前記画質調整処理の処理強度を次第に増大させるための処理と
を実行させるプログラム。
【発明の詳細な説明】
【技術分野】
【０００１】
本発明は、電子ズーム機能を備えたデジタルカメラ等に用いて好適な撮像装置及び電子ズーム方法と、それらの実現に使用されるプログラムに関するものである。
【背景技術】
【０００２】
従来、デジタルカメラ等における電子ズーム機能に関し、ＣＣＤ等の撮像素子からの撮像信号の読み出しモードとして、通常の読み出しモードとは別に、画素加算数の異なる複数の画素加算モードや、画素間引きを行う画素間引きモードを用意しておき、電子ズーム倍率に応じて読み出しモードを切り替えることにより、そのときのズーム倍率に適した画素数（画素サイズ）の撮像信号を取得し、それに基づく画像に対して所定領域の切り出し処理や、さらには拡大又縮小処理を行うことにより、ズーム倍率に応じた画角の画像を取得する技術が、例えば下記特許文献１〜４に記載されている。
【特許文献１】特開２００４−１７２８４５号公報
【特許文献２】特開２００５−１９１８６７号公報
【特許文献３】特開２００４−７２２７８号公報
【特許文献４】特開２００４−９６６１１号公報
【発明の開示】
【発明が解決しようとする課題】
【０００３】
しかしながら、上記のように電子ズーム倍率に応じて撮像信号の読み出すモードを切り替えると、読み出すモードの切り替え前後では、加算される画素数の変化、画素間引き率の変化、拡大率・縮小率の変化等の様々な要因によって、撮像信号から直接得られる画像の質が変化する。そのため、最終的に取得するズーム倍率に応じた画角の画像においても、撮像信号の読み出しモードが切り替わる位置のズーム倍率の前後において画質が大きく変化するという問題があった。
【０００４】
本発明は、かかる従来の課題に鑑みてなされたものであり、電子ズームを使用しているときのズーム倍率の変化途中における大きな画質変化をなくすことにより、電子ズームの質を向上させることが可能となる撮像装置及び電子ズーム方法と、それらの実現に使用されるプログラムを提供することを目的とする。
【課題を解決するための手段】
【０００５】
前記課題を解決するため請求項１の発明にあっては、電子ズーム機能による電子ズーム動作に際し、撮像素子から異なる画素数の画素情報からなる撮像信号を読み出すための複数の読み出しモードを電子ズーム倍率に応じて切り替えるとともに、各々の読み出しモードが設定されている間、電子ズーム倍率に応じて前記撮像信号に対するズーム処理を変更する撮像装置において、前記撮像素子から読み出された撮像信号に基づく画像に対して画質を調整するための画質調整処理を行う画質調整手段を備え、この画質調整手段は、電子ズーム倍率が前記読み出しモードが切り替わる切り替えポイントに近づくに従い、前記画質調整処理の処理強度を次第に増大させるものとした。
【０００６】
かかる構成においては、電子ズーム機能によるズーム動作に際して、ズーム倍率の変化に伴い撮像信号の読み出しモードが切り替わるとき、その前後において撮像信号から直接得られる画像の質が不可避的に変化したとしても、読み出しモードが切り替わる以前の画像の質を、読み出しモードが切り替わる以前の段階から予めズーム倍率の変化に応じて徐々に変化させることによって、読み出しモードが切り替わる直前の画像の質を、読み出しモードが切り替わった直後の画像の質に違和感なく近づけることができる。
【０００７】
また、請求項２の発明にあっては、前記画質調整手段は、電子ズーム倍率が、同一の読み出しモードが適用されるズーム区間の一部であって、前記切り替えポイントを含む所定のズーム区間に位置する間に、前記撮像素子から読み出された撮像信号に基づく画像に対して前記画質調整処理を行うものとした。
【０００８】
また、請求項３の発明にあっては、前記画質調整手段は、前記切り替えポイントを境として隣接する双方のズーム区間のうち電子ズーム倍率が小さい側に位置するズーム区間において、前記画質調整処理の処理強度を、前記読み出しモードが切り替わる電子ズーム倍率における切り替えポイントに近づくに従い次第に増大させるものとした。
【０００９】
また、請求項４の発明にあっては、前記画質調整手段は、前記切り替えポイントを境として隣接する双方のズーム区間のうち電子ズーム倍率が大きい側に位置するズーム区間において、前記画質調整処理の処理強度を、前記読み出しモードが切り替わる電子ズーム倍率における切り替えポイントに近づくに従い次第に増大させるものとした。
【００１０】
また、請求項５の発明にあっては、前記画質調整手段は、電子ズーム倍率が、前記切り替えポイントを境として隣接する双方のズーム倍率区間に位置する間に、前記画質調整処理を前記撮像信号に基づく画像に対してそれぞれ行うとともに、電子ズーム倍率が前記双方のズーム倍率区間の一方に位置する間に前記画質調整手段により行われる前記画質調整処理と、電子ズーム倍率が前記双方のズーム倍率区間の他方に位置する間に前記画質調整手段により行われる前記画質調整処理とは、画質の調整内容が相反する処理であるものとした。
【００１１】
また、請求項６の発明にあっては、前記画質調整手段により行われる前記撮像信号に基づく画像に対する前記画質調整処理は、輪郭部分の強度の調整効果を含む処理であるものとした。
【００１２】
また、請求項７の発明にあっては、前記複数の読み出しモードには、画素加算読み出しモード又は画素間引き読み出しモードの少なくともいずれか一方が含まれるものとした。
【００１３】
また、請求項８の発明にあっては、電子ズーム機能による電子ズーム動作に際し、撮像素子から異なる画素数の画素情報からなる撮像信号を読み出すための複数の読み出しモードを電子ズーム倍率に応じて切り替えるとともに、各々の読み出しモードが設定されている間、電子ズーム倍率に応じて前記撮像信号に対するズーム処理を変更する撮像装置における電子ズーム方法であって、前記撮像素子から読み出された撮像信号に基づく画像に対して画質を調整するための画質調整処理を行うとともに、電子ズーム倍率が前記読み出しモードが切り替わる切り替えポイントに近づくに従い、前記画質調整処理の処理強度を次第に増大させる方法とした。
【００１４】
かかる方法によれば、電子ズーム機能によるズーム動作に際して、ズーム倍率の変化に伴い撮像信号の読み出しモードが切り替わるとき、その前後において撮像信号から直接得られる画像の質が不可避的に変化したとしても、読み出しモードが切り替わる以前の画像の質を、読み出しモードが切り替わる以前の段階から予めズーム倍率の変化に応じて徐々に変化させることによって、読み出しモードが切り替わる直前の画像の質を、読み出しモードが切り替わった直後の画像の質に違和感なく近づけることができる。
【００１５】
また、請求項９の発明にあっては、電子ズーム機能による電子ズーム動作に際し、撮像素子から異なる画素数の画素情報からなる撮像信号を読み出すための複数の読み出しモードを電子ズーム倍率に応じて切り替えるとともに、各々の読み出しモードが設定されている間、電子ズーム倍率に応じて前記撮像信号に対するズーム処理を変更する撮像装置が有するコンピュータに、前記撮像素子から読み出された撮像信号に基づく画像に対して画質を調整するための画質調整処理を行うための処理と、電子ズーム倍率が前記読み出しモードが切り替わる切り替えポイントに近づくに従い、前記画質調整処理の処理強度を次第に増大させるための処理とを実行させるプログラムとした。
【発明の効果】
【００１６】
以上のように本発明においては、読み出しモードが切り替わる以前の画像の質を、読み出しモードが切り替わる以前の段階から予め電子ズーム倍率の変化に応じて徐々に変化させることによって、読み出しモードが切り替わる直前の画像の質を、読み出しモードが切り替わった直後の画像の質に違和感なく近づけることができるようにした。
【００１７】
よって、電子ズームを使用しているときの電子ズーム倍率の変化途中における大きな画質変化をなくすことにより、電子ズームの質を向上させることが可能となる。
【発明を実施するための最良の形態】
【００１８】
以下、本発明の一実施の形態を図にしたがって説明する。図１は、本発明に係るデジタルカメラのブロック図である。このデジタルカメラは、静止画撮影機能と動画撮影機能とを有するものであり、以下の構成を備えている。
【００１９】
すなわちデジタルカメラは、カメラ本体１と、カメラ本体１に着脱可能な記録メディア２０から構成されており、カメラ本体１にはズームレンズやフォーカスレンズからなる光学系２、及び撮像手段であるＣＣＤ３が配置されている。ＣＣＤ３は、ＣＰＵ１３の制御に従いタイミングジェネレータ７によって生成される水平及び垂直駆動信号に基づき駆動され、被写体の光像を光電変換し撮像信号として出力する。なお、本実施の形態において、ＣＣＤ３の有効画素サイズ（水平×垂直）は「２，８８０×２，１６０」であり、また、ＣＣＤ３の駆動モードつまりＣＣＤ３からの信号の読み出しモードとして、後述する全画素モード、２×２画素加算モード、３×３画素加算モードの３種類のモードが用意されている。
【００２０】
ＣＣＤ３の出力信号はＣＤＳ回路４で相関二重サンプリングされた後、Ａ／Ｄ変換回路５でデジタル信号に変換される。Ａ／Ｄ変換された撮像信号はＤＳＰ（Digital Signal Processor）６に入力され、ペデスタルクランプ等の処理が施された後、ブロック内の輝度・色差マトリックス回路でＹＵＶ変換によって輝度（Ｙ）信号及び色差（ＵＶ）信号に変換される。
【００２１】
また、ＤＳＰ６は、ＣＰＵ１３の制御に従いオートホワイトバランス等の各種の画像処理も行う。特に、電子ズーム機能によるズーム動作時においては、本発明の画質調整手段として機能し、必要に応じて画質の調整内容が相反するシャープネス処理（第１の画質調整処理）と、ぼかし処理（第２の画質調整処理）とを行う。すなわち、シャープネス処理は、画像の中にある輪郭線等の色や明るさの差が大きい部分を強調する処理であり、ぼかし処理は、輪郭線等の色や明るさの差が大きい部分における色や明るさの変化を減少させることにより画像のコントラストを減少させる処理であり、双方の処理は、例えば所定の画素単位毎に注目画素及びそれと近接する周囲の画素の輝度値に応じて注目画素の輝度値を増大又は減少させる等の方法によって行われる。
【００２２】
そして  ＤＳＰ６から出力されたＹＵＶデータは、データバス２１を介して１フレーム毎に順次内蔵メモリ１４（例えばＳＤＲＡＭ）に格納され、内蔵メモリ１４に格納された１フレーム分のＹＵＶデータはＣＰＵ１３により読み出される。その際には、所定の画像領域に対応するＹＵＶデータのみの読み出しによる切り出し処理が必要に応じて行われる。
【００２３】
内蔵メモリ１４から読み出されたＹＵＶデータは、必要に応じ拡大・縮小回路８において所定の画像サイズに拡大又は縮小、つまり変倍された後、表示コントローラ１１でビデオ信号に変換され、ＬＣＤ（液晶表示器）１２によってスルー画像として表示される。  なお、拡大・縮小回路８における画像データの拡大又は縮小は、０次補間法、１次補間法、３次補間法、投影法といった幾何学的補間法などの所定の変倍アルゴリズムに基づいて行われる。
【００２４】
また、内蔵メモリ１４から読み出された１フレーム分のＹＵＶデータは、静止画撮影モードにおいては、前記データ圧縮伸長ブロック９でＪＰＥＧ方式等でデータ圧縮した後コード化され、内蔵メモリ１４内でファイル化された後、メディアコントローラ１０を介して記録メディア２０に静止画データ（静止画ファイル）として記録される。さらに、動画撮影モードでは、順次データ圧縮伸長ブロック９へ送られ、所定の動画記録方式（例えばＭｏｔｉｏｎ−ＪＰＥＧやＭＰＥＧ）のコーデックによりデータ圧縮した後コード化され、最終的にはメディアコントローラ１０を介して動画ファイルとして記録メディア２０（画像記録手段）に記録される。
【００２５】
一方、再生モードにおいてデータ圧縮伸長ブロック９は、記録メディア２０から読み出された静止画や動画のデータを伸張し、静止画データや動画像のフレームデータとして内蔵メモリ１４の画像データ作業領域に展開する。
【００２６】
音声処理ブロック１５は、音声付の動画撮影時においてカメラ本体１に内蔵されたマイク１６に入力した音声をデジタル信号に変換し、データ圧縮後にオーディオデータとして内蔵メモリ１４へ送る。内蔵メモリ１４に送られたオーディオデータは、動画ファイルと共に記録メディア２０に記録される。また、音声処理ブロック１５は、音声付動画の再生時には、内蔵メモリ１４から送られたオーディオデータを復号し、アナログの音声信号に変換した後、カメラ本体１に内蔵された内蔵スピーカ１７から音声出力させる。
【００２７】
キー入力ブロック１８は、電源キーと、静止画撮影モード、動画撮影モード、再生モードの各モードの切り替えを行うモード切替キー、ＭＥＮＵキー、シャッターキー、ズームキー等の複数の操作キーを含み、使用者によるキー操作に応じたキー入力信号をＣＰＵ１３に出力する。なお、シャッターキーは動画撮影時には録画開始／終了ボタンとしても機能する。
【００２８】
また、前記光学系２内のフォーカスレンズ及びズームレンズは、ＣＰＵ１３の指令に従いレンズドライバ２２により生成される駆動信号によって駆動される。すなわちフォーカスレンズは、ＣＰＵ１３によるＡＦ制御によってフォーカス位置に駆動され、また、ズームレンズは、ユーザーによるズームキーの操作に応じたズーム位置に駆動される。
【００２９】
以上の各ブロックはＣＰＵ１３によって制御されており、ＣＰＵ１３が各ブロックの制御に必要とされるプログラムや各種データはＥＥＰＲＯＭやフラッシュメモリ等の書き換え可能な不揮発性メモリであるプログラムメモリ１９に記憶されている。なお、プログラムメモリ１９には、ユーザーにより設定、又は変更されたシステムや各機能に関する他の設定データも記憶されている。そして、ＣＰＵ１３は上記プログラム及びキー入力信号に基づき各ブロックを制御する。
【００３０】
また、プログラムメモリ１９には、電子ズーム制御に際して使用される図２に示したような設定テーブル１００を構成するデータが記録されている。設定テーブル１００は、必要とする画像のサイズ別、すなわち動画撮影モードで記録可能な動画像のサイズや、動画撮影モード及び静止画撮影モードでの撮影待機状態でＬＣＤ１２に表示するスルー画像のサイズ毎に複数用意されており、電子ズーム機能によるズーム倍率（光学ズームによるズーム倍率を含まない倍率）１００ａと、各々のズーム倍率１００ａに対応する以下の設定項目から構成される。
【００３１】
すなわちＣＣＤ３から撮像信号（ベイヤーデータ）を読み出す際の読み出しモード（ＣＣＤ３の駆動モード）１００ｂと、撮像信号に基づく画像から使用する領域部分を切り出す場合の切り出しサイズ１００ｃと、要求される画素サイズを得るための変倍率（拡大・縮小率）１００ｄと、画質調整の内容１００ｄとの各設定項目から構成されている。なお、切り出しサイズは、撮像信号に基づく画像の水平方向及び垂直方向の画素サイズにズーム倍率の逆数を掛けたサイズである。
【００３２】
図２に示した設定テーブル１００は、必要とする画像のサイズが「６４０×４８０」である場合に使用されるものであり、電子ズーム倍率は１倍から画質に劣化を生じさせない最大倍率である４．５倍までの間で複数段階である。
【００３３】
また、撮像信号の読み出しモード１００ｂは、全画素、２×２画素加算、３×３画素加算の３種類であり、電子ズーム倍率が１倍から１．５倍までの区間が３×３画素加算モード、１．５倍から２．２５倍までの区間が２×２画素加算モード、２．２５倍から４．５倍までの区間が全画素モードに設定されている。
【００３４】
全画素モードは、ＣＣＤ３から一般的なフレーム読み出しによって全画素の信号電荷をそのまま読み出すモードである。２×２画素加算モードは、ＣＣＤ３において水平及び垂直方向に各々２画素を加算し４画素分の信号を１画素の信号として読み出すモードであり、３×３画素加算モードは、水平及び垂直方向に各々３画素を加算し９画素分の信号を１画素の信号として読み出すモードである。
【００３５】
ここで、上記の２×２画素加算モード、及び３×３画素加算モードによる画像信号の読み出し方法について説明する。図３及び図４は、それを示す前記ＣＣＤ３の模式図である。図示したようにＣＣＤ３は、各画素を構成する多数の感光用ＣＣＤ（図でＲ，Ｇ，Ｂ）と、水平方向に並んだ感光機能を有していないＣＣＤからなるホールド蓄積部（ＨＯＬＤ）、及び水平転送部３１と、感光用ＣＣＤの信号電荷を垂直転送する図示しない垂直転送部と、出力回路３２とを備えている。
【００３６】
２×２画素加算モードでは、図３に示したように第１フィールドでは、垂直方向奇数番目のラインの（１５，１３，１１，・・・）の信号電荷のみを垂直転送し、その際、ホールド蓄積部ＨＯＬＤを用いて互いに隣り合う奇数ラインの信号電荷を加算、つまり同色の２画素分の信号電荷を１ラインおきに垂直加算して水平転送部３１へ転送する。同時に、水平転送部３１において同一ラインに１画素おきに存在する同色の２画素分の信号電荷を加算（水平加算）する。しかる後、同色の画素配列（Ｒ，Ｇ，Ｒ，Ｇ，・・・）からなる２ライン分の信号電荷が垂直加算され、かつ同一ラインに１画素おきに存在する同色の２画素分の信号電荷が水平加算された奇数ラインの信号を読み出し、以後、全ての奇数ラインの信号電荷を順に読み出す。
【００３７】
同様に、第２フィールドでは、垂直方向偶数番目のライン（１６，１４，１２，・・・）について第１フィールドと同様の垂直加算と水平加算を行い、奇数ラインと異なる同色の画素配列（Ｇ，Ｂ，Ｇ，Ｂ，・・・）からなる２ライン分の信号電荷を垂直加算し、かつ同一ラインに１画素おきに存在する同色の２画素分の信号電荷が水平加算された偶数ラインの信号を読み出し、以後、全ての偶数ラインの信号電荷を順に読み出す。
【００３８】
図５（ａ）は、４画素×４画素の任意の画素空間において上記のように読み出される撮像信号からなるベイヤーデータを示す概念図であり、２×２画素加算モードでは、例えば画素位置が（１，１）、（１，３）、（３，１）、（３，３）のＧ画素の信号電荷は、互いに加算されて（２，２）のＧ画素の信号電荷として読み出される。つまり水平方向および垂直方向の画素数がそれぞれ２分の１であるものの、全画素の画素情報が反映されたベイヤーデータが得られることとなる。
【００３９】
また、３×３画素加算モードでは、図４に示したように第１フィールドでは、垂直方向奇数番目のラインの（１７，１５，１３，・・・）の信号電荷のみを垂直転送し、その際、ホールド蓄積部ＨＯＬＤを用いて互いに隣り合う３ライン分の奇数ラインの信号電荷を加算、つまり同色の３画素分の信号電荷を１ラインおきに垂直加算して水平転送部３１へ転送する。同時に、水平転送部３１において同一ラインに１画素おきに存在する同色の３画素分の信号電荷を加算（水平加算）する。しかる後、同色の画素配列（Ｒ，Ｇ，Ｒ，Ｇ，・・・）からなる３ライン分の信号電荷が垂直加算され、かつ同一ラインに１画素おきに存在する同色の３画素分の信号電荷が水平加算された奇数ラインの信号を読み出し、以後、全ての奇数ラインの信号電荷を順に読み出す。
【００４０】
同様に、第２フィールドでは、垂直方向偶数番目のライン（１６，１４，１２，・・・）について第１フィールドと同様の垂直加算と水平加算を行い、奇数ラインと異なる同色の画素配列（Ｇ，Ｂ，Ｇ，Ｂ，・・・）からなる３ライン分の信号電荷を垂直加算し、かつ同一ラインに１画素おきに存在する同色の３画素分の信号電荷が水平加算された偶数ラインの信号を読み出し、以後、全ての偶数ラインの信号電荷を順に読み出す。
【００４１】
図５（ｂ）は、８画素×８画素の任意の画素空間において上記のように読み出される撮像信号からなるベイヤーデータを示す概念図であり、３×３画素加算モードでは、例えば画素位置が（１，１）、（１，３）、（１，５）、（３，１）、（３，３）、（３，５）、（５，１）、（５，３）、（５，５）、のＧ画素の信号電荷が、互いに加算されて（３，３）のＧ画素の信号電荷として読み出される。つまり水平方向および垂直方向の画素数がそれぞれ３分の１であるものの、全画素の画素情報が反映されたベイヤーデータが得られることとなる。
【００４２】
なお、２×２画素加算モード及び３×３画素加算モードによる具体的な撮像信号の読み出し方法については、上述した方法以外にも任意の方法を採用することができる。
【００４３】
一方、前述した画質調整１００ｅは、所定のズーム倍率でシャープネス処理と、ぼかし処理とを所定の強度で実施させる内容であり、以下の設定となっている。すなわち、電子ズーム倍率１００ａの値が１倍から４．５倍まで変化（ズームアップ）する間に、撮像信号の読み出しモードが切り替わる倍率である画素加算数切替ポイント、つまり境界ズーム倍率である１．５倍と２．２５倍とを境として、画素加算数切替ポイントの直前（低ズーム倍率側）における所定の倍率区間においてはシャープネス処理を行うとともに、その処理強度を徐々に増大させ、画素加算数切替ポイントにおいて強度を最大とする。また、画素加算数切替ポイント以上になると、それ以降（高ズーム倍率側）の所定の倍率区間においてぼかし処理を行うとともに、画素加算数切替ポイントにおける処理強度を最大として以後徐々に減少させる設定となっている。
【００４４】
次に、以上の構成からなるデジタルカメラ１の本発明に係る動作について説明する。図６は、動画撮影モードや静止画撮影モードにおいて、ズーム倍率が光学系２のズームレンズの駆動により得られるズーム倍率を超えた領域内、つまり電子ズーム領域内にある間にＣＰＵ１３が実行する電子ズーム制御に関する処理の概略を示したフローチャートである。
【００４５】
電子ズーム制御に際してＣＰＵ１３は、ズームキーの操作中であった場合には（ステップＳ１でＹＥＳ）、電子ズーム倍率を変更する（ステップＳ２）。
【００４６】
しかる後、前述したいずれかの設定テーブル１００（図２）を参照して、変更した電子ズーム倍率に応じた各設定項目１００ｂ〜１００ｅにおける設定値（設定内容）を読み出し（ステップＳ３）、それに基づき必要に応じて以下の処理を実行する。すなわちＣＣＤ３から撮像信号（ベイヤーデータ）を読み出す際の読み出しモードの切り替え（ステップＳ４）、画質調整１００ｅとして設定されているシャープネス処理、又はぼかし処理による画質調整の変更（ステップＳ５）、撮像信号に基づく画像からの切り出しサイズ１００ｃとして設定されているサイズの領域の切り出し処理を行い（ステップＳ６）、切り出した画像を必要とする画素サイズとするためのサイズ調整、すなわち変倍率１００ｄとして設定されている倍率での拡大又は縮小を拡大・縮小回路８に行わせる（ステップＳ７）。以後、ズームキーが操作されている間（電子ズーム倍率が変更される毎に）ステップＳ２〜ステップＳ７の処理を繰り返し実行する。なお、電子ズーム倍率の変更がない間は、その変更の無い電子ズーム倍率に応じた各設定項目１００ｂ〜１００ｅにおける設定値に基づく処理が動画像やスルー画像に対して繰り返し実行されることになる。
【００４７】
図７は、図２に示した設定テーブル１００に基づき上記電子ズーム制御における具体的内容を示した図である。ここでは、動画撮影モードで動画像の記録を行っている間に、電子ズーム倍率が１倍から４．５倍（最大倍率）まで変化する（変更される）ものとして説明する。まず電子ズーム倍率が１倍のときには、撮像信号の読み出しモードを３×３画素加算モードに設定し、１フレーム毎に内蔵メモリ１４に記憶するＹＵＶ変換後の画像データすなわち撮像画像の画素サイズを「９６０×７２０」とし、ＹＵＶ変換後の画像を縮小することにより必要とする画素サイズ「６４０×４８０」の記録画像（フレーム画像）を取得する。
【００４８】
以後、電子ズーム倍率が１倍から１．５倍までのズーム倍率区間では、電子ズーム倍率が増大（ズームアップ）するに従ってＹＵＶ変換後の画像における切り出しサイズを徐々に縮小させると同時に、変倍率を徐々に増大（縮小率を徐々に減少）させながら切り出し後の画像に対する縮小処理を行うことによって必要とする画素サイズを確保する。そして、ズーム倍率が１．５倍の時点では変倍率が１００％となるため、切り出し処理のみによって必要とする画素サイズを確保する。
【００４９】
次に、電子ズーム倍率が１．５倍となった時点で撮像信号の読み出しモードを２×２画素加算モードに切り替え、１フレーム毎に内蔵メモリ１４に記憶する撮像画像の画素サイズを「１，４４０×１，０８０」とするとともに、２．２５倍までのズーム倍率区間においても、電子ズーム倍率が増大するに従ってＹＵＶ変換後の画像における切り出しサイズを徐々に縮小すると同時に、変倍率を徐々に増大（縮小率を徐々に減少）させながら切り出し後の画像に対する縮小処理を行うことによって必要とする画素サイズを確保する。そして、電子ズーム倍率が２．２５倍の時点では変倍率が１００％となるため、切り出し処理のみによって必要とする画素サイズを確保する。
【００５０】
引き続き、電子ズーム倍率が２．２５倍となった時点で撮像信号の読み出しモードを全画素モードに切り替え、１フレーム毎に内蔵メモリ１４に記憶する撮像画像の画素サイズを「２，８８０×２，１６０」とするとともに、４．５倍までのズーム倍率区間においても、電子ズーム倍率が増大するに従ってＹＵＶ変換後の画像における切り出しサイズを徐々に縮小すると同時に、変倍率を徐々に増大（縮小率を徐々に減少）させながら切り出し後の画像に対する縮小処理を行うことによって必要とする画素サイズを確保する。そして、電子ズーム倍率が４．５倍、すなわち最大倍率に達した時点では変倍率が１００％となるため、切り出し処理のみによって必要とする画素サイズを確保する。
【００５１】
つまり、撮像信号の読み出しモードを３×３画素加算モードから２×２画素加算モードに切り替える時期と、２×２画素加算モードから全画素モードに切り替える時期とを、それぞれ必要とする画素サイズが切り出し処理のみにより確保できるズーム倍率となった時点とし、切り出し処理と、切り出し処理及び縮小処理とによって必要とする画素サイズを確保する。
【００５２】
また、上記処理と並行し、電子ズーム倍率１００ａの値が１倍から４．５倍まで変化（ズームアップ）する間に、前述したように撮像信号の読み出しモードが切り替わる電子ズーム倍率である画素加算数切替ポイント（１．５倍と２．２５倍）を境として、画素加算数切替ポイントまでの（低ズーム倍率側）における所定の倍率区間Ａ（図８参照）においてはシャープネス処理を行うとともに、電子ズーム倍率が増大するに従ってその処理強度を徐々に増大させ、画素加算数切替ポイントにおいて強度を最大とする。また、画素加算数切替ポイント以降（高ズーム倍率側）の所定の倍率区間Ｂ（図８参照）においてはぼかし処理を行うとともに、画素加算数切替ポイントにおける処理強度を最大として以後電子ズーム倍率が増大するに従って徐々に処理強度を減少させる。
【００５３】
ここで、以上の電子ズーム制御が行われる間、上記画素加算数切替ポイントの前後においては、撮像信号から直接得られる画像の質、すなわち主に輪郭部分が消失したり、コントラストが低下したりすることに伴うボケ度合が不可避的に変化する。これは、画素加算数切替ポイントの前後におけるＣＣＤ３内部での画素加算数（全画素モードの加算数は「０」である。）の違いに起因するものであるため、画素加算数切替ポイントが、切り出し処理のみにより必要とする画素サイズを確保できる電子ズーム倍率（１．５倍と２．２５倍）に設定されていても、つまり縮小処理が不要な電子ズーム倍率に設定されていても解消できない。
【００５４】
しかし、本実施の形態においては、画素加算数切替ポイント（１．５倍と２．２５倍）を境とした前後の所定のズーム倍率区間においてシャープネス処理とぼかし処理とを行い、かつ双方の処理強度を画素加算数切替ポイントで最大とするよう変化させるため、撮像信号から直接得られる画像において画素加算数切替ポイントの前後で画質が変化しても、電子ズーム倍率が変化する方向に関係なく、画素加算数切替ポイントの直前（直後）の画質を、違和感を生じさせることなく、その直後（直前）の画質に近づけることができる。
【００５５】
よって、電子ズームを使用しているときの電子ズーム倍率の変化途中における、大きな画質変化をなくすことにより、電子ズームの質を向上させることができる。
【００５６】
しかも、画素加算数切替ポイントの前後におけるズーム倍率の小さい側と大きい側とにおいて、画質の調整内容が相反するシャープネス処理（第１の画質調整処理）と、ぼかし処理（第２の画質調整処理）とを行うことにより、画素加算数切替ポイントの前後における画質の低下を最小限とすることができる。したがって、電子ズームの質をより一層向上させることができる。
【００５７】
図８はそれを便宜的に示した図であって、画素加算数切替ポイントの前後、つまり低倍率側のズーム倍率区間Ａと高倍率側のズーム倍率区間Ｂとにおける記録画像のぼけ度合の変化を示した図である。なお、図に実線で示した変化が本実施の形態における変化であり、破線で示した変化が前述したシャープネス処理とぼかし処理とを行わない場合の変化である。
【００５８】
また、図９は、図７の例において電子ズーム倍率が２．２５倍（画素加算数切替ポイント）であったときの画像のぼけ状態を便宜的に示した図である。すなわち同図（ａ）が２×２画素加算モードで読み出した撮像信号に基づく元画像２０１と、それに最大強度のシャープネス処理が施された記録画像２０２を示したものであり、同図（ｂ）が、全画素モードで読み出した撮像信号に基づく元画像３０１と、それに最大強度のぼかし処理が施された記録画像３０２を示したものである。
【００５９】
また、以上の効果については、動画撮影モードで動画像の記録を行っている間に限らず、動画撮影モードや静止画撮影モードにおける撮影待機状態でスルー画像をＬＣＤ１２に表示している間においても、スルー画像のサイズに応じた設定テーブル（１００）に基づいて図６に示した電子ズーム制御が行われることにより得ることができる。
【００６０】
なお、静止画撮影モードについては撮影待機状態に限らず、静止画の撮影時においても図６の電子ズーム制御を行うようにしてもよい。その場合には、予め設定可能な記録画像サイズ（最大サイズを除く）に対応する設定テーブルを用意しておき、それに基づく電子ズーム制御を行えばよい。
【００６１】
ここで、以上説明した本実施の形態においては、撮像信号の読み出しモードを３×３画素加算モードから２×２画素加算モードに切り替える時期と、２×２画素加算モードから全画素モードに切り替える時期とを、それぞれ必要とする画素サイズが切り出し処理のみにより確保できる電子ズーム倍率となった時点とすることにより、切り出し処理と、切り出し処理及び縮小処理とによって必要とする画素サイズを確保するようにしたが、以下のようにすることもできる。
【００６２】
すなわち、読み出しモードの切り替え時期を、必要とする画素サイズが切り出し処理のみにより確保できる電子ズーム倍率である時点とし、切り出し処理と、切り出し処理及び拡大処理とによって必要とする画素サイズを確保するようにしてもよい。
【００６３】
以下、その場合における電子ズーム制御の具体的内容について説明する。図１０は、図７に対応する図である。但し、動画像の記録画素サイズが「９６０×７２０」である。なお、電子ズーム制御に際しては、図２に示した設定テーブル１００と異なる図示しない設定内容の設定テーブルが使用されることとなる。
【００６４】
以下説明すると、図示したように電子ズーム倍率が１倍のときには、撮像信号の読み出しモードを３×３画素加算モードに設定し、１フレーム毎に内蔵メモリ１４に記憶するＹＵＶ変換後の画像データすなわち撮像画像の画素サイズを「９６０×７２０」として、そのまま記録画像（フレーム画像）を取得する。以後、電子ズーム倍率が１倍から１．５倍までのズーム倍率区間では、電子ズーム倍率が増大するに従ってＹＵＶ変換後の画像に対する切り出しサイズを徐々に縮小すると同時に、切り出した画像に対する変倍率（拡大率）を徐々に増大させながら拡大処理を行うことによって必要とする画素サイズを確保する。
【００６５】
次に、電子ズーム倍率が１．５倍となった時点で撮像信号の読み出しモードを２×２画素加算モードに切り替え、１フレーム毎に内蔵メモリ１４に記憶する撮像画像の画素サイズを「１，４４０×１，０８０」とする。この時点では電子ズーム倍率に応じた切り出しサイズが「９６０×７２０」で変倍率が１００％となるため、切り出し処理のみによって必要とする画素サイズを確保する。
【００６６】
以後、電子ズーム倍率が３倍となるまでの倍率区間においては、電子ズーム倍率が増大するに従ってＹＵＶ変換後の画像に対する切り出しサイズを徐々に縮小すると同時に、切り出した画像に対する変倍率（拡大率）を徐々に増大させながら拡大処理を行うことによって必要とする画素サイズを確保する。
【００６７】
次に、電子ズーム倍率が３倍となった時点で撮像信号の読み出しモードを全画素モードに切り替え、１フレーム毎に内蔵メモリ１４に記憶する撮像画像の画素サイズを「２，８８０×２，１６０」とする。この時点では電子ズーム倍率に応じた切り出しサイズが「９６０×７２０」で変倍率が１００％となるため、切り出し処理のみによって必要とする画素サイズを確保する。
【００６８】
引き続き、電子ズーム倍率が３倍以上では、電子ズーム倍率が増大するに従ってＹＵＶ変換後の画像に対する切り出しサイズを徐々に縮小すると同時に、切り出した画像に対する変倍率（拡大率）を徐々に増大させながら拡大処理を行うことによって必要とする画素サイズを確保する。
【００６９】
また、以上のように読み出しモードの切り替え時期を、必要とする画素サイズが切り出し処理のみにより確保できる電子ズーム倍率である時点とし、切り出し処理と、切り出し処理及び拡大処理とによって必要とする画素サイズを確保する場合についても、上記処理と並行して、前述したシャープネス処理とぼかし処理とを行う。
【００７０】
すなわち、電子ズーム倍率１００ａの値が１倍から４．５倍まで変化（ズームアップ）する間に、前述したように撮像信号の読み出しモードが切り替わる電子ズーム倍率である画素加算数切替ポイント（１．５倍と３倍）を境として、画素加算数切替ポイントに達する以前（低ズーム倍率側）の所定の倍率区間においてはシャープネス処理を行うとともに、電子ズーム倍率が増大するに従ってその処理強度を徐々に増大させ、画素加算数切替ポイントにおいて強度を最大とする。また、画素加算数切替ポイントに達した以後（高ズーム倍率側）の所定の倍率区間においてぼかし処理を行うとともに、その処理強度を画素加算数切替ポイントにおいて最大として以後電子ズーム倍率が増大するに従って徐々に減少させる（図８参照）。
【００７１】
ここで、以上の電子ズーム制御が行われる間においては、画素加算数切替ポイントの前後において、先に説明した場合と同様にＣＣＤ３内部での画素加算数が異なることにより、撮像信号から直接得られる画像の質が不可避的に変化する。さらには、画素加算数切替ポイントでは切り出し処理及び拡大処理によって必要とする画素サイズを確保するため、それによっても撮像信号から直接得られる画像の質が変化する。
【００７２】
しかし、係る場合においても、画素加算数切替ポイント（１．５倍と３倍）を境とした前後の所定の電子ズーム倍率区間においてシャープネス処理とぼかし処理とを行い、かつ双方の処理強度を画素加算数切替ポイントで最大とするよう変化させるため、撮像信号から直接得られる画像において画素加算数切替ポイントの前後で画質が変化しても、電子ズーム倍率が変化する方向に関係なく、画素加算数切替ポイントの直前（直後）の画質を、違和感を生じさせることなく、その直後（直前）の画質に近づけることができる。しかも、画素加算数切替ポイントの前後における画質の低下を最小限とすることができる。
【００７３】
さらに、上記とは異なり、読み出しモードの切り替え時期を、その前後における双方の変倍率をできるだけ１００％に近づけることができる時点とし、切り出し処理及び縮小処理（なお、電子ズーム倍率が１倍のときは縮小処理）と、切り出し処理と、切り出し処理及び拡大処理とによって必要とする画素サイズを確保するようにしてもよい。
【００７４】
以下、その場合における電子ズーム制御の具体的内容について説明する。図１１は、図７に対応する図である。但し、動画像の記録画素サイズが「８００×６００」であり、また、電子ズーム制御に際しては、図２に示した設定テーブル１００と異なる図示しない設定内容の設定テーブルが使用される。
【００７５】
以下説明すると、図示したように電子ズーム倍率が１倍のときには、撮像信号の読み出しモードを３×３画素加算モードに設定し、１フレーム毎に内蔵メモリ１４に記憶するＹＵＶ変換後の画像データすなわち撮像画像の画素サイズを「９６０×７２０」とし、縮小処理のみを行うことによって必要とする画素サイズを確保する。
【００７６】
以後、電子ズーム倍率が１倍から１．２倍までのズーム倍率区間では、電子ズーム倍率が増大するに従ってＹＵＶ変換後の画像に対する切り出しサイズを徐々に縮小すると同時に、切り出した画像に対する変倍率を徐々に増大（縮小率を徐々に減少）させ、切り出し処理と縮小処理とを行うことによって必要とする画素サイズを確保する。そして、電子ズーム倍率が１．２倍となった時点では変倍率が１００％となるため、切り出し処理のみによって必要とする画素サイズを確保する。
【００７７】
次に、電子ズーム倍率が１．２倍から１．６倍までのズーム倍率区間では、電子ズーム倍率が増大するに従ってＹＵＶ変換後の画像に対する切り出しサイズを徐々に縮小すると同時に、切り出した画像に対する変倍率（拡大率）を徐々に増大させ、切り出し処理と拡大処理とを行うことによって必要とする画素サイズを確保する。
【００７８】
引き続き、電子ズーム倍率が１．６倍となった時点で撮像信号の読み出しモードを２×２画素加算モードに切り替え、１フレーム毎に内蔵メモリ１４に記憶する撮像画像の画素サイズを「１，４４０×１，０８０」とするとともに、１．８倍までのズーム倍率区間では、電子ズーム倍率が増大するに従って、切り出した画像に対する切り出しサイズを徐々に縮小する切り出し処理と、変倍率を徐々に増大（縮小率を徐々に減少）させての切り出した画像に対する縮小処理とによって必要とする画素サイズを確保する。そして、電子ズーム倍率が１．８倍となった時点では変倍率が１００％となるため、切り出し処理のみによって必要とする画素サイズを確保する。
【００７９】
以後、電子ズーム倍率が１．８倍から２．６倍までのズーム倍率区間では、電子ズーム倍率が増大するに従ってＹＵＶ変換後の画像に対する切り出しサイズを徐々に縮小すると同時に、切り出した画像に対する変倍率（拡大率）を徐々に増大させ、切り出し処理と拡大処理とを行うことによって必要とする画素サイズを確保する。
【００８０】
引き続き、電子ズーム倍率が２．６倍となった時点で撮像信号の読み出しモードを全画素モードに切り替え、１フレーム毎に内蔵メモリ１４に記憶する撮像画像の画素サイズを「２，８８０×２，１６０」とするとともに、３．６倍までのズーム倍率区間では、電子ズーム倍率が増大するに従って、ＹＵＶ変換後の画像に対する切り出しサイズを徐々に縮小する切り出し処理と、変倍率を徐々に増大（縮小率を徐々に減少）させての切り出した画像に対する縮小処理とを行うことによって必要とする画素サイズを確保する。そして、電子ズーム倍率が３．６倍となった時点では変倍率が１００％となるため、切り出し処理のみによって必要とする画素サイズを確保する。
【００８１】
以後、電子ズーム倍率が３．６倍以上では、電子ズーム倍率が増大するに従ってＹＵＶ変換後の画像に対する切り出しサイズを徐々に縮小すると同時に、切り出した画像に対する変倍率（拡大率）を徐々に増大させ、切り出し処理と拡大処理とによって必要とする画素サイズを確保する。
【００８２】
また、以上のように読み出しモードの切り替え時期を、その前後における双方の変倍率をできるだけ１００％に近づけることができる時点とし、切り出し処理及び縮小処理（なお、電子ズーム倍率が１倍のときは縮小処理）と、切り出し処理と、切り出し処理及び拡大処理とによって必要とする画素サイズを確保する場合についても、上記処理と並行して、前述したシャープネス処理とぼかし処理とを行う。
【００８３】
すなわち、電子ズーム倍率１００ａの値が１倍から４．５倍まで変化（ズームアップ）する間に、前述したように撮像信号の読み出しモードが切り替わる電子ズーム倍率である画素加算数切替ポイント（１．６倍と２．６倍）を境として、画素加算数切替ポイントに達する以前（低ズーム倍率側）の所定の倍率区間においてはシャープネス処理を行うとともに、電子ズーム倍率が増大するに従ってその処理強度を徐々に増大させ、画素加算数切替ポイントにおいて強度を最大とする。また、画素加算数切替ポイントに達した以後（高ズーム倍率側）の所定の倍率区間においてはぼかし処理を行うとともに、その処理強度を画素加算数切替ポイントで最大として以後電子ズーム倍率が増大するに従って徐々に減少させる（図８参照）。
【００８４】
ここで、以上の電子ズーム制御が行われる間においても、画素加算数切替ポイントの前後においては、先に説明した場合と同様にＣＣＤ３内部での画素加算数が異なることにより、撮像信号から直接得られる画像の質が不可避的に変化する。さらには、画素加算数切替ポイントでは切り出し処理及び拡大処理によって必要とする画素サイズを確保するため、それによっても撮像信号から直接得られる画像の質が変化する。
【００８５】
しかし、係る場合においても、画素加算数切替ポイント（１．６倍と２．６倍）を境とした前後の所定のズーム倍率区間においてシャープネス処理とぼかし処理とを行い、かつ双方の処理強度を画素加算数切替ポイントで最大とするよう変化させるため、撮像信号から直接得られる画像において画素加算数切替ポイントの前後で画質が変化しても、電子ズーム倍率が変化する方向に関係なく、画素加算数切替ポイントの直前（直後）の画質を、違和感を生じさせることなく、その直後（直前）の画質に近づけることができる。しかも、画素加算数切替ポイントの前後における画質の低下を最小限とすることができる。
【００８６】
一方、以上の説明においては、画素加算数切替ポイントの前後の所定の倍率区間でシャープネス処理とぼかし処理とを行う場合について説明したが、これに限らず以下のようにしてもよい。すなわち、図１２（ａ）に示したように、画素加算数切替ポイントの前の所定の倍率区間でのシャープネス処理のみを行うようにしたり、図１２（ｂ）に示したように、画素加算数切替ポイントの後の所定の倍率区間でのぼかし処理のみを行うようにしたりしてもよい。
【００８７】
その場合においても電子ズーム倍率が変化する方向に関係なく、画素加算数切替ポイントの直前（直後）の画質を、違和感を生じさせることなく、その直後（直前）の画質に近づけることができる。したがって、電子ズームを使用しているときの電子ズーム倍率の変化途中における、大きな画質変化をなくすことにより、電子ズームの質を向上させることができる。さらに、その場合においては、図１２（ａ）、（ｂ）に示したように画素加算数切替ポイントの近傍における処理強度の変化を急峻なものとしてもよい。
【００８８】
また、シャープネス処理とぼかし処理の強度を、電子ズーム倍率の変化に応じて段階的に変化させる場合について説明したが、電子ズーム倍率が無段階的（ユーザに意識されない程度）で変更可能な構成であればシャープネス処理とぼかし処理の強度についても無段階的に変化させてもよい。また、各々の処理強度を画素加算数切替ポイントで最大とすることができれば、電子ズーム倍率が複数段階変動する毎に各々の処理強度を１段階変化させるようにしてもよい。また、シャープネス処理や、ぼかし処理は画素加算数切替ポイントの前後の所定の倍率区間に限定することなく、それぞれを電子ズーム倍率が１倍のときと、最大倍率のときとを除き、同一の読み出しモードが設定されている倍率区間の全域において行うようにすることもできる。
【００８９】
また、ここでは、画素加算数切替ポイントの前後における画質変化のうち、主として輪郭部分が消失したり、コントラストが低下することに伴うボケ度合の変化を抑制するために、画素加算数切替ポイントの前後においてシャープネス処理とぼかし処理といった画質調整を行うものについてのみ説明したが、本発明は、これに限定されるものではない。すなわち、シャープネス処理とぼかし処理以外の所定の画質調整を画素加算数切替ポイントの前後（又はいずれか一方）において行うとともに、その強度を画素加算数切替ポイントにおいて最大とすることにより、画素加算数切替ポイントの前後に生ずるボケ度合以外の他の画質変化を抑制するようにしてもよい。
【００９０】
その場合についても、電子ズームを使用しているときの電子ズーム倍率の変化途中における、大きな画質変化をなくすことにより、電子ズームの質を向上させることができる。
【００９１】
また、先に説明した例では、電子ズーム倍率が変化する間、画素加算数切替ポイントにおいては、同一の電子ズーム倍率による処理を読み出しモードを変えて２回行うものとしたが、それを１回としてもよい。例えば、画素加算数切替ポイントでは、常に画素加算数が少ない側の読み出しモードによる処理を行うようにしたり、電子ズーム倍率がズームアップに伴い画素加算数切替ポイントとなったときには、画素加算数が少ない読み出しモードによる処理を行い、かつ電子ズーム倍率がズームダウンに伴い画素加算数切替ポイントとなったときには、画素加算数が多い側の読み出しモードによる処理を行うようにしたりしてもよい。
【００９２】
また、ＣＣＤ３内部で画素加算が行われる撮像信号の読み出しモードが２×２画素加算モードと３×３画素加算モードの２種類であり、それらのモードを電子ズーム倍率に応じて設定する場合を説明したが、画素加算が行われる撮像信号の読み出しモードの種類は３種類以上でも構わない。また、画素加算は上記の数に限らず５×５画素加算や、水平又は垂直方向の２画素加算、３画素加算などであっても構わない。さらに、撮像信号の読み出しモード（ＣＣＤ３の駆動モード）として、画素間引き数の異なる画素間引を行う間引きモードが１又は複数種用意されていたり、それと画素加算による読み出しモードとが混在して用意されていたりしており、電子ズーム倍率に応じた読み出しモードとして間引きモードが適宜設定される構成であっても構わない。
【００９３】
また、前述した電子ズーム制御では、電子ズーム倍率に応じた読み出しモード、切り出しサイズ、変倍率（拡大・縮小率）、画質調整の各設定内容を設定テーブル１００から取得するようにしたが、それらを所定の条件演算や算術演算によって取得するものとしてもよい。
【００９４】
また、撮像信号に基づく画像から所定の切り出しサイズの領域を切り出す切り出し処理を、内蔵メモリ１４にいったん格納したＹＵＶ変換後の画像データ（ＹＵＶデータ）に対して行うようにしたが、その切り出し処理を、撮像信号（ベイヤーデータ）に対して行ってもよい。
【００９５】
また、撮像素子は、撮像信号の読み出し時点での画素加算等が可能な構成であれば（撮像素子の内部で行われても、外部で行われてもよい）、ＣＣＤに限らずＣＭＯＳセンサ等の他の撮像素子であってもよい。その場合、撮像素子が、ＣＭＯＳセンサのように所定の画素の電荷信号を選択的に読み出すことができる構造であれば、前述した切り出し処理を撮像信号の読み出し時点で行うようにすることができる。
【００９６】
また、シャープネス処理とぼかし処理とを、切り出し処理を行う以前に行う構成を示したが、それらを切り出し処理により取得した画像データに対して行う構成としてもよい。さらに、シャープネス処理とぼかし処理とを、拡大又は縮小処理を行う以前に行う構成を示したが、それらを拡大又は縮小処理を行った後の画像データに対して行う構成としてもよい。
【００９７】
さらに、本実施の形態においては、本発明をデジタルカメラに適用した場合について説明したが、本発明は電子ズーム機能を有しているものであれば、光学ズームの有無に関係なくデジタルビデオカメラ、カメラ付き携帯電話端末、カメラ付きＰＤＡ等の他の撮像装置にも採用することができる。
【図面の簡単な説明】
【００９８】
【図１】本発明に係るデジタルカメラのブロック図である。
【図２】動画撮影時における電子ズーム制御に際して使用される設定テーブルを示す概念図である。
【図３】２×２画素加算モードによる画像信号の読み出し方法を示すＣＣＤの模式図である。
【図４】３×３画素加算モードによる画像信号の読み出し方法を示すＣＣＤの模式図である。
【図５】（ａ）は、２×２画素加算モードで読み出される撮像信号からなるベイヤーデータの一部を示した概念図、（ｂ）は３×３画素加算モードで読み出される撮像信号からなるベイヤーデータの一部を示した概念図である。
【図６】ＣＰＵ１３が実行する電子ズーム制御に関する処理の概略を示したフローチャートである。
【図７】動画撮影時の電子ズーム制御における具体的内容の一例を示した図である。
【図８】電子ズーム倍率が画素加算数切替ポイントの前後のズーム倍率区間で変化するときの画像のぼけ度合の変化を示した図である。
【図９】画素加算数切替ポイントの前後における画質変化の抑制効果を便宜的に示した図である。
【図１０】変形例を示す図７に対応する図である。
【図１１】他の変形例を示す図７に対応する図である。
【図１２】他の変形例における、シャープネス処理の強度変化（ａ）と、ぼかし処理の強度変化（ｂ）とを示した図である。
【符号の説明】
【００９９】
３    ＣＣＤ
６    ＤＳＰ部
８    拡大・縮小回路
１３    ＣＰＵ
１４    内蔵メモリ
１９    プログラムメモリ
２０    記録メディア
１００    設定テーブル
【図１】
0004655991.tif 000002
【図２】
0004655991.tif 000003
【図３】
0004655991.tif 000004
【図４】
0004655991.tif 000005
【図５】
0004655991.tif 000006
【図６】
0004655991.tif 000007
【図７】
0004655991.tif 000008
【図８】
0004655991.tif 000009
【図９】
0004655991.tif 000010
【図１０】
0004655991.tif 000011
【図１１】
0004655991.tif 000012
【図１２】
0004655991.tif 000013